(57)【要約】【課題】  スロットイン方式のビデオカメラで、ディスク挿入口からゴミ、埃が入ることを防ぐためにディスク挿入口をおおう開閉フタを設ける場合に、開閉フタの回転軸をディスク挿入口と同じ製品上面に設けていた。そのため製品上面を曲面とすることができず製品のデザインに制約があった。また、製品内部のメカユニットのメンテナンス性向上が課題であった。【解決手段】  メカユニットを覆おう回動可能なカバーを有し、前記カバーはディスク挿入口をおおう開閉フタである構造とした。また、ディスク挿入口をおおう開閉フタは、ディスク挿入口を露出するための第一の開閉角度と、メカユニットを露出する第二の開閉角度とで開くことが可能であることとした。【選択図】  図３
2010033647.tif 000002
【特許請求の範囲】
【請求項１】
ディスクを出し入れする開口部と、
ディスクを回転させるスピンドルモータと、ディスクに情報を記録する又はディスクから信号を再生するヘッドユニットとからなるメカユニットと、
メカユニットを覆おうカバーを有し、
前記カバーはディスクを出し入れする開口部を露出するための第一の開閉角度と、
メカユニットを取り外せる第二の開閉角度とで開くことが可能であることを特徴とするディスク駆動装置。
【請求項２】
前記ディスクを出し入れする開口部は
スリット形状をした挿入口であることを特徴とする請求項１に記載のディスク駆動装置。
【発明の詳細な説明】
【技術分野】
【０００１】
本発明は、ディスク駆動装置のディスク挿入口の開閉フタに関するものである。
【背景技術】
【０００２】
従来、ディスクをディスク面と平行方向に押し込んだり引き出したりするスロットイン方式のディスク駆動装置には、図12に示すようなディスク挿入口4が常に露出しているタイプ１と、図13,図14,図15に示すようなディスク挿入口4にフタをつけてディスク出し入れ時にだけディスク挿入口4を露出させるタイプ２とがある。
【０００３】
タイプ１に対するタイプ２のメリットは、ディスク挿入口からのゴミや埃の進入の防止が図れること、ディスク挿入口周りの製品の剛性を上げられることである。
【０００４】
これらのタイプは、スリット形状のディスク挿入口へ直接ディスクを差し込むことにより自動的にディスクが引き込まれて装填され、排出時も自動的に所定の位置までディスクが飛び出す方式である。
【０００５】
このようなディスク装置は、例えば特許文献１にて開示されている。
【特許文献１】特開2002-117604号公報
【発明の開示】
【発明が解決しようとする課題】
【０００６】
しかしながら、上記従来例においては、以下の問題点があった。
【０００７】
図１２に示すタイプ１の従来例では、スリット形状のディスク挿入口4から埃やゴミが侵入しやすく、それによって光ピックアップへダメージを与えるという問題点があったり、外装カバーにディスク挿入口が開口しているので外装カバーの剛性が低下してしまうという問題があった。これを解決するために図１３に示すタイプ２の従来例のように、スリット形状のディスク挿入口4を覆う開閉フタ3を設け、ディスクを出し入れするときだけディスク挿入口4を露出させる（図１５の状態）ことで通常使用時の埃やゴミの進入を防いでいた。また、開閉フタ3によってディスク挿入口を覆うことで、製品の剛性を向上させていた。
【０００８】
しかし、タイプ２の従来例では、開閉フタ3の回転軸13がディスク挿入口4と同じ製品の上面に設けられていた。そのために、製品のデザインを図１６のように製品上面を曲面14としたい場合に、開閉フタの回転軸13を配置することが困難になるという問題があり、製品のデザインに制約がかかってしまうという問題があった。
【０００９】
また、従来のスロットイン方式のディスク装置では、メカユニットを露出させるためには、製品を分解しなければならず、メカユニットのメンテナンスを行う際の作業が煩雑であるという問題点があった。
【課題を解決するための手段】
【００１０】
本発明は、以下の手段により上記課題を解決すべく発明されたものである。
【００１１】
１．メカユニットを覆おう回転可能なカバーを有し、前期カバーはディスク挿入口をおおう開閉フタである構造とした。
【００１２】
２．ディスク挿入口を開閉する開閉フタは、ディスク挿入口を露出するための第一の開閉角度と、メカユニットを露出する第二の開閉角度とで開くことが可能であることとした。
【発明の効果】
【００１３】
本発明によれば、以下の効果を得ることが出来る。
【００１４】
埃やゴミの侵入を防ぐことが可能でかつ、ディスク挿入口による剛性の低下を改善できる。
【００１５】
ディスク挿入口を曲面上に設けることができるので、曲面を使ったデザインの製品を提供できる。
【００１６】
製品内部のメカユニットのメンテナンスが容易になる。
【発明を実施するための最良の形態】
【００１７】
次に、本発明の詳細を実施例の記述に従って説明する。
【００１８】
以下、本発明を実施するための形態に関して説明する。
【実施例１】
【００１９】
以下本発明によるビデオカメラにおける実施の形態を説明する。
【００２０】
図１は実施例によるビデオカメラの外観（開閉フタ閉状態）の概略図であり、1は本体カバー、2はレンズ部、3は開閉フタを示している。
【００２１】
図２は図１のＣ-Ｃ断面である。本体カバー1と開閉フタ3によって製品の外装カバーを構成し、製品内部には電気回路基板8と、スピンドルモータ7を含むメカユニットが配置されている。開閉フタ3はメカユニットを覆うように配置され、回転軸12を中心に回転可能である。
【００２２】
図３は実施例によるビデオカメラの外観（開閉フタが第一の開閉角度A°開いた状態）の概略図である。
【００２３】
図４は実施例によるビデオカメラの外観（開閉フタが第二の開閉角度B°開いた状態）の概略図である。
【００２４】
図３において、開閉フタ3を開くと、ディスク挿入口4が露出する。このときの開き角度はＡ°である。この状態では本体内部のメカユニットが露出することはない。
【００２５】
ユーザーがディスク9を挿入する場合は、スリット形状のディスク挿入口4へ直接ディスク9を差し込むことにより自動的にディスク9が引き込まれて装填される。
【００２６】
ユーザーが製品内部からディスクを取り出す場合は、開閉フタ3を開くと、後述する図９の開閉検出スイッチ111が開閉フタ3がＡ°開いたことを検出し、ディスク9が自動的に排出される。自動引き込み/自動排出の機構は、特許文献１で示されているものと同様である。
【００２７】
図３に示すように、開閉フタ3にはストッパー5がついており、角度A°開いたときに、ストッパー5の溝端がピン6と製品本体内部で突き当たるため、開閉フタ3はA°開いたところでとまる。本体内部のピン6とストッパー5の溝の様子を図５、図６で示す。
【００２８】
図５は開閉フタ3を閉じたときの本体内部のピン6とストッパー5の溝の関係である。
【００２９】
図６は開閉フタ3が第一の開閉角度A°開いたときの本体内部のピン6とストッパー5の溝の関係である。図６においてピン6はストッパー5の溝端に突き当たるため、開閉フタは角度A°以上は開かない。
【００３０】
このように開閉フタ3はディスク挿入口が露出する角度A°だけ開き、本体の中身のメカユニットが露出することがない。
【００３１】
図７に示すように、ピン6はネジ部6aを有しており、ネジ部6aを本体から外すことでピン6がストッパー5の溝からはずれる。すると、開閉フタ3は角度B°まで開くことができる。
【００３２】
このときネジの頭は特殊なビットでないと回せないようにビットの入る穴形状6ｂを三角形にしている。これによりユーザーがこのネジを回すことを防ぐとともに、メンテナンス時に修理者のみがネジを外すことができる構成となっている。
【００３３】
図４において、修理者がピン6を矢印Ｅの方向に外したときに、開閉フタ3は角度B°まで開き、ディスクを回転させるスピンドルモータ7と光ピックアップ10と、光ピックアップ10をディスク9の半径方向にガイド軸11に沿って移動させる移送手段からなるメカユニットが露出するとともに、メカユニットを本体に固定するメカユニット取付ネジ17が露出する。
【００３４】
修理者がメカユニットを取り外した状態を図８に示す。メカユニット取付ネジ17を外すことで、製品本体からメカユニットを取り外すことができる。
【００３５】
図１７、図１８は、製品上面を曲面14としたデザインの実施例である。断面図は図２で説明したものと同じである。製品上面にディスク挿入口4が曲面15上に設けられているが、回転軸12が製品の底面に配置されているので開閉フタ3を回転可能に配置することができる。そのため製品の上面は曲面を用いたデザインとすることができる。回転軸12を配置した製品の底面は、製品を机などの上に置くことを考えると、平面であるほうが自然であるので、製品の底面を平面としてもデザイン性を損なうことはない。
【００３６】
次に、開閉フタが閉じた状態から、開閉フタがA°開く状態になるまでの動作を詳細に説明する。図９、図１０は実施例のビデオカメラの外観図である。
【００３７】
図９は実施例によるビデオカメラの外観図（開閉フタ閉状態）、図１０は実施例によるビデオカメラの外観図（開閉フタ開状態）である。
【００３８】
ここで、101は撮影レンズ、102はズームスイッチ、103は本体カバー、105は軸、106はバネ、107は開閉フタロックつまみ、108はロックピン、109は録画スタート/ストップボタン、111は開閉検出スイッチ、112はスピーカー、3は開閉フタ、201はディスク挿入口、202はディスク、203はロック溝、204はロック解除スライド方向である。
【００３９】
以上の構成において、開閉フタ3が外側へ開き、ストッパー5がピン6に突き当たるまで開くことにより、図１０のようにディスク挿入口201が露出し、ディスク202を挿入/排出することができる構成となっている。
【００４０】
ここで、開閉フタ3の開閉状態は、開閉検出スイッチ111が開閉フタ3に押されることによって検出される。
【００４１】
なお、開閉フタ3は、開閉フタロックつまみ107の動作により開閉するが、その動作を以下に説明する。
【００４２】
図１１は、実施例による開閉フタスライドつまみ動作図であり、開閉フタロックつまみ周辺の内部部品に関する動作模式図である。
【００４３】
ここで、301は軸ガイドであり、本体カバー103と一体に構成されたリブ状の壁であり、軸105の通る丸穴が配置されている。なお、その他の構成部品は図9、図10で説明したものと同一である。
【００４４】
まず、図１１ａは開閉フタ3が閉じた状態である。
【００４５】
開閉フタロックつまみ107には、つまみと一体で構成されたロックピン108が設置されており、本体に構成されたL字型のロック溝203の左奥に位置している。
【００４６】
このとき開閉フタロックつまみ107は、バネ106で図の左方向に付勢されている。
【００４７】
次に図１１ｂのように、開閉フタロックつまみ107を矢印方向に右へスライドさせる。
【００４８】
更に図１１ｃのように、開閉フタロックつまみ107と開閉フタ3をいっしょに矢印方向に手前に引き寄せ、開閉フタ3を開く。開閉フタ3はストッパー5の溝端にピン6が突き当たるまで開くことができる（図６の状態）。
【００４９】
ここで図１１ｄのように開閉フタロックつまみ107から指を離すと、開閉フタロックつまみ107はバネ106の力により矢印方向左側へスライドする。
【００５０】
この状態で、ロックピン108がロック溝203の溝から左へ退避した位置になる。このため開閉フタ3を閉じる方向に押されても、ロックピン108は点線矢印方向で本体カバー103に突き当たり、簡単に開閉フタ3が閉じられることは無い。
【００５１】
よって、ディスク挿入・排出時に誤操作で開閉フタ3を閉じてしまい、ディスクに傷をつけてしまうことが防止できる。
【００５２】
図１０において、ピン6のネジ頭はビットが入る穴形状6ｂが三角形をしているので、ユーザーが外すことができないが、メンテナンスで修理者が特殊な工具を以って外すことができる。
【００５３】
修理者がピン6を外すと前述の図４の説明のように、開閉フタ3はメカユニットおよび、メカユニット取付ネジ17が露出する角度Ｂ°開くことができる。メカユニット取付ネジ17を外すことでメカユニットを本体から取り外すことができる。
【００５４】
以上のような構成により、メカユニットを覆おう回転可能なカバーが、ディスク挿入口をおおう開閉フタである構造としたことで、埃やゴミの侵入を防ぐことが可能でかつ、ディスク挿入口による剛性の低下を改善でき、ディスク挿入口を曲面上に設けることができるので、曲面を使ったデザインの製品を提供でき、さらに、製品内部のメカユニットのメンテンスが容易なディスク駆動装置を提供できるようになった。
【図面の簡単な説明】
【００５５】
【図１】実施例によるビデオカメラの外観（開閉フタ閉状態）の概略図。
【図２】実施例によるビデオカメラの断面図（断面Ｃ-Ｃ）。
【図３】実施例によるビデオカメラの外観（開閉フタＡ°開状態）の概略図。
【図４】実施例によるビデオカメラの外観（開閉フタＢ°開状態）の概略図。
【図５】実施例によるストッパー機構例（開閉フタ閉状態）。
【図６】実施例によるストッパー機構例（開閉フタＡ°開状態）。
【図７】実施例によるストッパーのピン形状。
【図８】実施例のメカユニット取り出し状態。
【図９】実施例によるビデオカメラの外観（開閉フタ閉状態）。
【図１０】実施例によるビデオカメラの外観（開閉フタＡ°開状態）の概略図。
【図１１】実施例による開閉フタスライドつまみ動作図。
【図１２】従来例のタイプ１。
【図１３】従来例のタイプ２。
【図１４】従来例のタイプ２の断面図（断面Ｄ-Ｄ）。
【図１５】従来例のタイプ２の開閉フタが開いた図。
【図１６】曲面を用いた従来例。
【図１７】曲面を用いた実施例（開閉フタ閉状態）。
【図１８】曲面を用いた実施例（開閉フタＡ°開状態）。
【符号の説明】
【００５６】
１  本体カバー
２  レンズ部
３  開閉フタ
４  ディスク挿入口
５  ストッパー
６  ピン
６a  ネジ部
６b  ネジ頭の穴形状
７  スピンドルモータ
８  電気回路基板
９  ディスク
１０  光ピックアップ
１１  ガイド軸
１２  回転軸
１３  回転軸
１４  製品上面の曲面
１５  曲面
１７  メカユニット取付ネジ
１０１  撮影レンズ
１０２  ズームスイッチ
１０３  ビデオカメラ本体外装
１０５  軸
１０６  バネ
１０７  開閉フタロックつまみ
１０８  ロックピン
１０９  録画スタート/ストップボタン
１１１  開閉検出スイッチ
１１２  スピーカー
２０１  ディスク挿入口
２０２  ディスク
２０３  ロック溝
２０４  ロック解除スライド方向
３０１  軸ガイド
【図１】
2010033647.tif 000003
【図２】
2010033647.tif 000004
【図３】
2010033647.tif 000005
【図４】
2010033647.tif 000006
【図５】
2010033647.tif 000007
【図６】
2010033647.tif 000008
【図７】
2010033647.tif 000009
【図８】
2010033647.tif 000010
【図９】
2010033647.tif 000011
【図１０】
2010033647.tif 000012
【図１１】
2010033647.tif 000013
【図１２】
2010033647.tif 000014
【図１３】
2010033647.tif 000015
【図１４】
2010033647.tif 000016
【図１５】
2010033647.tif 000017
【図１６】
2010033647.tif 000018
【図１７】
2010033647.tif 000019
【図１８】
2010033647.tif 000020